(57)【要約】【課題】ユーザに、携帯端末上でより少ない操作によって記録装置に記録された動画コンテンツを編集させる。【解決手段】本発明の記録装置においては、記憶部コントローラ１０５は、動画コンテンツを元に作成されたコンテンツデータとコンデンツデータの詳細を示すインデックス情報とを記憶部１０６に書き込んでおく。そして、携帯端末から動画コンテンツの編集が指示されると、記憶部１０６内の全動画コンテンツのインデックス情報を携帯端末へ送信し、その後に、インデックス情報に動画コンテンツの編集内容を示す編集情報が付加されて携帯端末から返信されると、その編集情報に基づいて記憶部１０６内の該当する動画コンテンツのコンテンツデータを編集する。【選択図】図２
2006092621.tif 000002
【特許請求の範囲】
【請求項１】
動画コンテンツを記録する記録装置と、前記記録装置に記録されている動画コンテンツの編集を行う携帯端末とを有してなるコンテンツ管理システムにおいて、
前記記録装置は、
動画コンテンツをデジタル信号として取り込み、取り込んだ動画コンテンツを圧縮することでコンテンツデータを作成するコンテンツデータ作成部と、
記憶部と、
前記コンテンツデータ作成部にて前記コンテンツデータが作成された場合、前記コンテンツデータと前記コンデンツデータの詳細を示すインデックス情報とを前記記憶部に書き込み、前記携帯端末にて動画コンテンツの編集が行われる場合、前記記憶部内の動画コンテンツのインデックス情報を読み出して前記携帯端末へ送信し、その後に、前記インデックス情報に動画コンテンツの編集内容を示す編集情報が付加されて前記携帯端末から返信された場合、前記編集情報に基づいて前記記憶部内の該当する動画コンテンツのコンテンツデータを編集する記憶部コントローラとを有するコンテンツ管理システム。
【請求項２】
前記コンテンツデータ作成部は、互いに異なる圧縮率で動画コンテンツを圧縮する複数のデータ圧縮部を有し、動画コンテンツがデジタル信号として取り込まれると、取り込まれた同一の動画コンテンツを前記複数のデータ圧縮部の各々にて圧縮することで複数のコンテンツデータを作成し、
前記記憶部コントローラは、前記複数のコンテンツデータと前記複数のコンテンツデータについての前記インデックス情報とを、前記記憶部へ書き込む、請求項１に記載のコンテンツ管理システム。
【請求項３】
前記記憶部コントローラは、前記複数のコンテンツデータについての前記インデックス情報を、動画コンテンツごとにまとめて前記記憶部へ書き込む、請求項２に記載のコンテンツ管理システム。
【請求項４】
前記記憶部コントローラは、前記インデックス情報に前記編集情報が付加されて前記携帯端末から返信された場合、前記編集情報に基づいて前記記憶部内の該当する動画コンテンツの複数のコンテンツデータの全てを編集する、請求項２または３に記載のコンテンツ管理システム。
【請求項５】
前記記憶部コントローラは、前記携帯端末にて動画コンテンツの再生が行われる場合、前記記憶部内の該当する動画コンテンツの複数のコンテンツデータの中から、前記携帯端末の記憶容量に応じたコンテンツデータを選択して前記携帯端末に送信する、請求項２から４のいずれか１項に記載のコンテンツ管理システム。
【請求項６】
動画コンテンツを記録しており、その記録された動画コンテンツの編集が携帯端末によって行われる記録装置によるコンテンツ管理方法において、
コンテンツデータ作成部が、動画コンテンツをデジタル信号として取り込み、取り込んだ動画コンテンツを圧縮することでコンテンツデータを作成する第１のステップと、
記憶部コントローラが、前記コンテンツデータ作成部にて前記コンテンツデータが作成された場合、前記コンテンツデータと前記コンデンツデータの詳細を示すインデックス情報とを前記記憶部に書き込む第２のステップと、
前記記憶部コントローラが、前記携帯端末にて動画コンテンツの編集が行われる場合、前記記憶部内の動画コンテンツのインデックス情報を読み出して前記携帯端末へ送信する第３のステップと、
前記記憶部コントローラが、前記インデックス情報に動画コンテンツの編集内容を示す編集情報が付加されて前記携帯端末から返信された場合、前記編集情報に基づいて前記記憶部内の該当する動画コンテンツのコンテンツデータを編集する第４のステップとを有するコンテンツ管理方法。
【請求項７】
前記第１のステップでは、
前記コンテンツデータ作成部が、デジタル信号として取り込まれた同一の動画コンテンツを互いに異なる圧縮率で圧縮することで複数のコンテンツデータを作成し、
前記第２のステップでは、
前記記憶部コントローラが、前記複数のコンテンツデータと前記複数のコンテンツデータについての前記インデックス情報とを、前記記憶部へ書き込む、請求項６に記載のコンテンツ管理方法。
【請求項８】
前記第２のステップでは、
前記記憶部コントローラが、前記複数のコンテンツデータについての前記インデックス情報を、動画コンテンツごとにまとめて前記記憶部へ書き込む、請求項７に記載のコンテンツ管理方法。
【請求項９】
前記第４のステップでは、
前記記憶部コントローラが、前記インデックス情報に前記編集情報が付加されて前記携帯端末から返信された場合、前記編集情報に基づいて前記記憶部内の該当する動画コンテンツの複数のコンテンツデータの全てを編集する、請求項７または８に記載のコンテンツ管理方法。
【請求項１０】
前記記憶部コントローラが、前記携帯端末にて動画コンテンツの再生が行われる場合、前記記憶部内の該当する動画コンテンツの複数のコンテンツデータの中から、前記携帯端末の記憶容量に応じたコンテンツデータを選択して前記携帯端末に送信する第５のステップをさらに有する、請求項７から９のいずれか１項に記載のコンテンツ管理方法。
【請求項１１】
動画コンテンツを記録しており、その記録された動画コンテンツの編集が携帯端末によって行われる記録装置において、
動画コンテンツをデジタル信号として取り込み、取り込んだ動画コンテンツを圧縮することでコンテンツデータを作成するコンテンツデータ作成部と、
記憶部と、
前記コンテンツデータ作成部にて前記コンテンツデータが作成された場合、前記コンテンツデータと前記コンデンツデータの詳細を示すインデックス情報とを前記記憶部に書き込み、前記携帯端末にて動画コンテンツの編集が行われる場合、前記記憶部内の動画コンテンツのインデックス情報を読み出して前記携帯端末へ送信し、その後に、前記インデックス情報に動画コンテンツの編集内容を示す編集情報が付加されて前記携帯端末から返信された場合、前記編集情報に基づいて前記記憶部内の該当する動画コンテンツのコンテンツデータを編集する記憶部コントローラとを有する記録装置。
【請求項１２】
前記コンテンツデータ作成部は、互いに異なる圧縮率で動画コンテンツを圧縮する複数のデータ圧縮部を有し、動画コンテンツがデジタル信号として取り込まれると、取り込まれた同一の動画コンテンツを前記複数のデータ圧縮部の各々にて圧縮することで複数のコンテンツデータを作成し、
前記記憶部コントローラは、前記複数のコンテンツデータと前記複数のコンテンツデータについての前記インデックス情報とを、前記記憶部へ書き込む、請求項１１に記載の記録装置。
【請求項１３】
前記記憶部コントローラは、前記複数のコンテンツデータについての前記インデックス情報を、動画コンテンツごとにまとめて前記記憶部へ書き込む、請求項１２に記載の記録装置。
【請求項１４】
前記記憶部コントローラは、前記インデックス情報に前記編集情報が付加されて前記携帯端末から返信された場合、前記編集情報に基づいて前記記憶部内の該当する動画コンテンツの複数のコンテンツデータの全てを編集する、請求項１２または１３に記載の記録装置。
【請求項１５】
前記記憶部コントローラは、前記携帯端末にて動画コンテンツの再生が行われる場合、前記記憶部内の該当する動画コンテンツの複数のコンテンツデータの中から、前記携帯端末の記憶容量に応じたコンテンツデータを選択して前記携帯端末に送信する、請求項１２から１４のいずれか１項に記載の記録装置。
【請求項１６】
動画コンテンツを記録しており、その記録された動画コンテンツの編集が携帯端末によって行われる記録装置を、
動画コンテンツをデジタル信号として取り込み、取り込んだ動画コンテンツを圧縮することでコンテンツデータを作成するコンテンツデータ作成部と、
記憶部と、
前記コンテンツデータ作成部にて前記コンテンツデータが作成された場合、前記コンテンツデータと前記コンデンツデータの詳細を示すインデックス情報とを前記記憶部に書き込み、前記携帯端末にて動画コンテンツの編集が行われる場合、前記記憶部内の動画コンテンツのインデックス情報を読み出して前記携帯端末へ送信し、その後に、前記インデックス情報に動画コンテンツの編集内容を示す編集情報が付加されて前記携帯端末から返信された場合、前記編集情報に基づいて前記記憶部内の該当する動画コンテンツのコンテンツデータを編集する記憶部コントローラと、として機能させるためのプログラム。
【請求項１７】
前記コンテンツデータ作成部は、互いに異なる圧縮率で動画コンテンツを圧縮する複数のデータ圧縮部を有し、動画コンテンツがデジタル信号として取り込まれると、取り込まれた同一の動画コンテンツを前記複数のデータ圧縮部の各々にて圧縮することで複数のコンテンツデータを作成し、
前記記憶部コントローラは、前記複数のコンテンツデータと前記複数のコンテンツデータについての前記インデックス情報とを、前記記憶部へ書き込む、請求項１６に記載のプログラム。
【請求項１８】
前記記憶部コントローラは、前記複数のコンテンツデータについての前記インデックス情報を、動画コンテンツごとにまとめて前記記憶部へ書き込む、請求項１７に記載のプログラム。
【請求項１９】
前記記憶部コントローラは、前記インデックス情報に前記編集情報が付加されて前記携帯端末から返信された場合、前記編集情報に基づいて前記記憶部内の該当する動画コンテンツの複数のコンテンツデータの全てを編集する、請求項１７または１８に記載のプログラム。
【請求項２０】
前記記憶部コントローラは、前記携帯端末にて動画コンテンツの再生が行われる場合、前記記憶部内の該当する動画コンテンツの複数のコンテンツデータの中から、前記携帯端末の記憶容量に応じたコンテンツデータを選択して前記携帯端末に送信する、請求項１７から１９のいずれか１項に記載のプログラム。
【発明の詳細な説明】
【技術分野】
【０００１】
本発明は、動画コンテンツを記録装置に記録し、管理するコンテンツ管理システムに関するものである。
【背景技術】
【０００２】
最近、ＴＶ番組等の動画コンテンツを大量に記録（録画）することが可能な記録装置、例えばＨＤＤ（Hard Disk Drive）／ＤＶＤ（Digital Versatile Disk）レコーダ機能を搭載した記録装置が増えてきている。この種の記録装置の中には、ユーザの嗜好に合った番組を自動で検索し、検索した番組の動画コンテンツを記録するといった、いわゆるおまかせ録画機能を搭載した記録装置がある。
【０００３】
しかし、おまかせ録画機能により記録された番組の数が増えると、ユーザは、全ての番組を視聴する時間が無いために、記録された番組の多くを視聴することなく削除することが多くなると考えられる。
【０００４】
そのため、今後は、記録装置に記録された動画コンテンツを、保存または削除等して編集する技術がより重要になってくると予想される。特に、記録装置に記録された動画コンテンツを外部の携帯端末等で編集できれば、ユーザは、通勤時間、移動時間、休憩時間等に、外出先で動画コンテンツを編集できるため、ユーザにとっては利便性が良い。しかし、携帯端末の記憶容量は、記録装置の記憶容量と比較して大幅に少ないため、記録装置から大容量の動画コンテンツをそのまま移動させて編集、表示することはできない。
【０００５】
最近では、上記課題を解決するための技術が多数開示されており、その一例として、特許文献１には、ホームサーバに記録されたコンテンツを、そのコンテンツのインデックス情報を用いて外部の端末でインターネット経由で編集する技術が開示されている。
【０００６】
詳細には、特許文献１に開示された技術によれば、ホームサーバでは、コンテンツのセグメントごとにサムネイル画像を含むインデックス情報を作成して、全てのコンテンツのセグメントのサムネイル画像を端末に送信する。端末では、全てのサムネイル画像を表示した上で、ユーザの指示に基づいて検索条件を指定する。ホームサーバでは、指定された検索条件に基づいてコンテンツのセグメントの検索を行い、検索されたセグメントのサムネイル画像を端末に送信する。端末では、検索されたサムネイル画像を表示した上で、ユーザの指示に基づいてコンテンツの保存または削除を通知する。ホームサーバでは、端末からの通知に基づいてコンテンツを保存または削除する。
【０００７】
このように、特許文献１に開示された技術は、動画コンテンツのインデックス情報を用いて編集を行うものであるため、ユーザは、端末の記憶容量が少なくても、その端末上で記録装置内の動画コンテンツの編集を行うことができるという利点がある。
【特許文献１】特開２００１−２８３５７０号公報（第１０頁、第７図）
【発明の開示】
【発明が解決しようとする課題】
【０００８】
しかしながら、上記の特許文献１に開示された技術は、ホームサーバのコンテンツを端末にて編集する際に、ユーザは端末上で複数回の操作を行う必要があるなど、ユーザの利便性を十分に満たすものではなかった。
【０００９】
そこで、本発明の目的は、ユーザが携帯端末上でより少ない操作によって記録装置に記録された動画コンテンツを編集することができるコンテンツ管理システム、コンテンツ管理方法、記録装置、プログラムを提供することにある。
【課題を解決するための手段】
【００１０】
上記目的を達成するために本発明は、
動画コンテンツを記録する記録装置と、前記記録装置に記録されている動画コンテンツの編集を行う携帯端末とを有してなるコンテンツ管理システムにおいて、
前記記録装置は、
動画コンテンツをデジタル信号として取り込み、取り込んだ動画コンテンツを圧縮することでコンテンツデータを作成するコンテンツデータ作成部と、
記憶部と、
前記コンテンツデータ作成部にて前記コンテンツデータが作成された場合、前記コンテンツデータと前記コンデンツデータの詳細を示すインデックス情報とを前記記憶部に書き込み、前記携帯端末にて動画コンテンツの編集が行われる場合、前記記憶部内の動画コンテンツのインデックス情報を読み出して前記携帯端末へ送信し、その後に、前記インデックス情報に動画コンテンツの編集内容を示す編集情報が付加されて前記携帯端末から返信された場合、前記編集情報に基づいて前記記憶部内の該当する動画コンテンツのコンテンツデータを編集する記憶部コントローラとを有することを特徴とする。
【００１１】
この構成によれば、ユーザは、携帯端末上でインデックス情報に編集情報を付加するという１回の操作で動画コンテンツの編集を行うことができるため、ユーザの利便性が向上する。また、携帯端末上でインデックス情報に編集情報を付加するという操作自体は、記録装置に接続された状態でなくとも行うことができるため、ユーザは、携帯端末を持ち出して外出先から動画コンテンツの編集を行うことができる。
【００１２】
また、前記コンテンツデータ作成部は、互いに異なる圧縮率で動画コンテンツを圧縮する複数のデータ圧縮部を有し、動画コンテンツがデジタル信号として取り込まれると、取り込まれた同一の動画コンテンツを前記複数のデータ圧縮部の各々にて圧縮することで複数のコンテンツデータを作成し、
前記記憶部コントローラは、前記複数のコンテンツデータと前記複数のコンテンツデータについての前記インデックス情報とを、前記記憶部へ書き込むこととしても良い。
【００１３】
この構成によれば、ユーザは、記録装置に記録された動画コンテンツを携帯端末に転送する場合、携帯端末上で動画コンテンツを指定するだけで、記憶容量に応じたコンテンツデータを携帯端末に移動させることができる。
【００１４】
また、前記記憶部コントローラは、前記複数のコンテンツデータについての前記インデックス情報を、動画コンテンツごとにまとめて前記記憶部へ書き込むこととしても良い。
【００１５】
この構成によれば、コンテンツデータごとにインデックス情報を書き込む場合と比較して、インデックス情報へのアクセス時にアクセスすべき記憶部内の領域が限定されるため、インデックス情報を短時間で読み出すことができ、それにより、動画コンテンツの編集作業の迅速化を図ることができる。
【発明の効果】
【００１６】
以上説明したように本発明においては、記録装置において、携帯端末にて動画コンテンツの編集が行われる場合、動画コンテンツのコンデンツデータについてのインデックス情報を携帯端末へ送信し、その後に、インデックス情報に動画コンテンツの編集内容を示す編集情報が付加されて携帯端末から返信された場合、編集情報に基づいて該当する動画コンテンツのコンテンツデータを編集している。
【００１７】
それにより、ユーザは、携帯端末上でインデックス情報に編集情報を付加するという１回の操作で動画コンテンツの編集を行うことができるため、ユーザの利便性が向上するという効果を奏する。
【発明を実施するための最良の形態】
【００１８】
以下に、本発明を実施するための最良の形態について図面を参照して説明する。
【００１９】
（第１の実施形態）
図１に、本発明の第１の実施形態のコンテンツ管理システムの構成を示す。
【００２０】
図１を参照すると、本実施形態のコンテンツ管理システムは、動画コンテンツが記録される記録装置１０と、記録装置１０に記録されている動画コンテンツの編集を行う携帯端末２０とから構成されている。
【００２１】
本実施形態においては、携帯端末２０は、データ再生機能を搭載しておらず、記録装置１０に記録されている動画コンテンツの編集のみを行う。携帯端末２０により編集された動画コンテンツの再生を行うのは記録装置１０等である。例えば、記録装置１０は、ＨＤＤ／ＤＶＤレコーダ機能を搭載した記録装置により実現され、携帯端末２０は、携帯電話機、ＰＤＡ（Personal Digital Assistance）、携帯型のパーソナルコンピュータにより実現される。
【００２２】
図２に、記録装置１０の構成を示す。
【００２３】
図２を参照すると、記録装置１０は、汎用Ｉ／Ｆ（interface）部１０１と、チューナ部１０２と、ＡＤＣ（Analog Digital Converter）／ビデオデコーダ１０３と、デジタルＩ／Ｆ部１０４と、記憶部コントローラ１０５と、記憶部１０６と、ＤＡＣ（Digital Analog Converter）／ビデオエンコーダ１０７と、記録再生処理部１０８とから構成されている。
【００２４】
汎用Ｉ／Ｆ部１０１は、ＵＳＢ（Universal Serial Bus）、ＩＥＥＥ１３９４（Institute of Electrical and Electronics Engineers 1394）、Ｅｔｈｅｒｎｅｔ等の汎用の標準Ｉ／Ｆである。携帯端末２０とのデータのやり取りは、主に汎用Ｉ／Ｆ部１０１から有線ケーブル経由で行われる。
【００２５】
チューナ部１０２は、ＴＶ番組等の動画コンテンツをアナログ信号またはデジタル信号として受信する。
【００２６】
ＡＤＣ／ビデオデコーダ１０３は、チューナ部１０２にてアナログ信号として受信された動画コンテンツまたは不図示のＩ／Ｆ部（ビデオ／オーディオ入力端子等）経由でアナログ信号として入力された動画コンテンツのビデオ映像信号方式（例えば、ＮＴＳＣ（National TV Standards Committee）方式）のビデオデコード処理およびデジタル信号への変換処理を行う。
【００２７】
デジタルＩ／Ｆ部１０４は、チューナ部１０２にてデジタル信号として受信された動画コンテンツからＭＰＥＧ−ＴＳ（Moving Picture Experts Group - transport stream）形式の信号を取り込むＴＳ−Ｍｕｘ処理を行う。
【００２８】
記録再生処理部１０８は、デジタル信号として取り込まれた動画コンテンツの圧縮処理を行うデータ圧縮部１０８Ｂと、動画コンテンツのコンテンツデータの伸長処理を行うデータ伸長部１０８Ａとを含む。記録再生処理部１０８では、ビットレート変換処理やトランスコーディング処理を行うことで圧縮処理、伸長処理を行う。
【００２９】
なお、上述のチューナ部１０２、ＡＤＣ／ビデオデコーダ１０３、デジタルＩ／Ｆ部１０４、およびデータ圧縮部１０８Ｂは、コンテンツデータ作成部を構成する構成要素となっている。このコンテンツデータ作成部では、チューナ部１０２、ＡＤＣ／ビデオデコーダ１０３、およびデジタルＩ／Ｆ部１０４によって動画コンテンツがデジタル信号として取り込まれ、データ圧縮部１０８Ｂによってデジタル信号の動画コンテンツが圧縮されてコンテンツデータが作成される。
【００３０】
ＤＡＣ／ビデオエンコーダ１０７は、デジタル信号のコンテンツデータのビデオ映像信号方式（例えば、ＮＴＳＣ方式）のビデオエンコード処理およびアナログ信号への変換処理を行って、不図示のＩ／Ｆ部（ビデオ／オーディオ出力端子等）経由で外部のテレビ装置等に出力する。
【００３１】
記憶部１０６は、記録装置１０に内蔵されたＨＤＤ１０６Ａと、リムーバルなＤＶＤディスクが収容されるＤＶＤドライブ１０６Ｂとを含むストレージである。なお、記憶部１０６は、ＤＶＤドライブ１０６Ｂの代わりにまたはＤＶＤドライブ１０６Ｂに追加して、リムーバルなシリコンメモリが収容されるドライブを設けた構成であっても良い。
【００３２】
記憶部コントローラ１０５は、例えば、ＣＰＵ（Central Processing Unit）やＭＰＵ（Micro Processing Unit）により実現されるものであり、スケジューラ部１０５Ａと、コンテンツデータ制御部１０５Ｂと、インデックス情報制御部１０５Ｃとを含んでいる。
【００３３】
スケジューラ部１０５Ａは、コンテンツデータ制御部１０５Ｂおよびインデックス情報制御部１０５Ｃからの指示に基づき、記憶部１０６の管理（書き込み、読み出し、削除等）を行う。
【００３４】
コンテンツデータ制御部１０５Ｂは、データ圧縮部１０８Ｂにて動画コンテンツが圧縮されて作成されたコンテンツデータを記憶部１０６に書き込む（記録する）場合、スケジューラ部１０５Ａに対して、記憶部１０６へのコンテンツデータの書き込みを指示し、また、記憶部１０６から動画コンテンツのコンテンツデータを読み出す（再生する）場合、スケジューラ部１０５Ａに対して、記憶部１０６からのコンテンツデータの読み出しを指示する。
【００３５】
インデックス情報制御部１０５Ｃは、記憶部１０６に書き込まれるコンテンツデータの詳細を示すインデックス情報を作成する。そして、記憶部１０６にコンテンツデータを書き込む時に、作成したインデックス情報の記憶部１０６への書き込みをスケジューラ部１０５Ａに対して指示する。なお、インデックス情報には、例えば、タイトル名、時間、記録内容（ドラマ番組の動画コンテンツであれば、出演者やあらすじ等の情報）、データ量、ビットレート、記憶部１０６内の格納場所等の情報が含まれる。例えば、インデックス情報制御部１０５Ｃは、インデックス情報のうち、タイトル名、時間、記録内容等の情報についてはＥＰＧ（Electronic Program Guide）データから取得することが可能である。アナログ放送の場合は、チューナ部１０２にて受信されたアナログ信号にデータ情報信号としてＥＰＧデータが重畳されており、ＡＤＣ／ビデオデコーダ１０３にてアナログ信号がデジタル化されると同時にＥＰＧデータもデジタル化されるため、そのデジタル化されたＥＰＧデータを取り出す。また、デジタル放送の場合は、チューナ部１０２にて受信されたデジタル信号に重畳されているＥＰＧデータは既にデジタル化されているため、そのデジタル化されたＥＰＧデータを取り出す。また、データ量、ビットレートについては、記録再生処理部１０８から取得することが可能であり、また、コンテンツデータの格納場所等については、コンテンツデータ制御部１０５Ｂから取得することが可能である。
【００３６】
また、インデックス情報制御部１０５Ｃは、記憶部１０６に書き込まれているインデックス情報を汎用Ｉ／Ｆ部１０１から携帯端末２０へ送信する場合には、スケジューラ部１０５Ａに対して、記憶部１０６からのインデックス情報の読み出しを指示し、記憶部１０６から読み出されたインデックス情報を汎用Ｉ／Ｆ部１０１から携帯端末２０へ送信する。
【００３７】
なお、インデックス情報制御部１０５Ｃは、携帯端末２０でインデックス情報を容易に確認でき、かつ、動画コンテンツの編集内容（保存、削除）を示す編集情報をインデックス情報に付加する操作を容易にできるように、インデックス情報を加工しておき、その加工したインデックス情報を携帯端末２０に送信する。例えば、インデックス情報制御部１０５Ｃは、図３に示すように、インデックス情報をテキストデータ形式に変換し、さらに、タイトル名の記述部分の周辺にチェック欄を設けてコンテンツデータを保存または削除するかをチェックできるように加工する。あるいは、タイトル名の記述部分の周辺に文字を入力できる空欄を設けておき、その空欄部分に、コンテンツデータの削除を示す「削除」「削」等の文字や、コンテンツデータの保存を示す「保存」「保」等の文字を入力させるように加工しても良い。なお、携帯端末２０側でテキストデータの確認、編集情報を付加する操作を行う対応アプリケーションがインストールされていない場合には、記憶部１０６内に格納されている対応アプリケーションを読み出し、インデックス情報と併せて携帯端末２０へ送信し、携帯端末２０にインストールさせても良い。
【００３８】
さらに、インデックス情報制御部１０５Ｃは、携帯端末２０から汎用Ｉ／Ｆ部１０１に、動画コンテンツの編集情報が付加されたインデックス情報が返信されてきた場合には、インデックス情報に付加されている編集情報に基づいて、記憶部１０６内の該当する動画コンテンツのコンテンツデータの編集をスケジューラ部１０５Ａに対して指示する。
【００３９】
図４に、携帯端末２０の構成を示す。
【００４０】
図４を参照すると、携帯端末２０は、汎用Ｉ／Ｆ部２０１と、記憶部コントローラ２０２と、記憶部２０３と、操作部２０４と、操作部コントローラ２０５と、表示部コントローラ２０６と、表示部２０７とから構成されている。
【００４１】
汎用Ｉ／Ｆ部２０１は、ＵＳＢ、ＩＥＥＥ１３９４、Ｅｔｈｅｒｎｅｔ等の汎用の標準Ｉ／Ｆである。記録装置１０とのデータのやり取りは、主に汎用Ｉ／Ｆ部２０１から有線ケーブル経由で行われる。
【００４２】
記憶部２０３は、携帯端末２０に内蔵されたＲＯＭ（Read Only Memory）２０３ＡおよびＲＡＭ（Random Access Memory）２０３Ｂを含むメモリである。なお、記憶部２０３は、ＨＤＤやＤＶＤドライブ等を含むストレージで代用することも可能である。
【００４３】
記憶部コントローラ２０２は、記録装置１０から汎用Ｉ／Ｆ部２０１に送信されてきたインデックス情報を記憶部２０３に書き込み、また、記憶部２０３からインデックス情報を読み出す。
【００４４】
また、記憶部コントローラ２０２は、操作部２０４への操作によって入力された指示内容に基づき、その編集情報が付加されたインデックス情報を記憶部２０３に書き込み、また、記憶部２０３から編集情報が付加されたインデックス情報を読み出し、汎用Ｉ／Ｆ部２０１から記録装置１０に送信する。
【００４５】
操作部コントローラ２０５は、操作部２０４への操作によって入力された指示内容を、汎用Ｉ／Ｆ部２０１、記憶部コントローラ２０２および表示部コントローラ２０６に指示する。
【００４６】
表示部コントローラ２０６は、操作部２０４への操作によって入力された指示内容に基づき、記憶部２０３に書き込まれているインデックス情報を表示部２０７に表示し、また、編集情報が付加されたインデックス情報を表示部２０７に表示する。
【００４７】
以下、本実施形態のコンテンツ管理システムの動作について説明する。
【００４８】
最初に、記録装置１０に動画コンテンツを記録する場合の動作について、図５のフローチャートを参照して説明する。
【００４９】
まず、記録装置１０においては、ＡＤＣ／ビデオデコーダ１０３またはデジタルＩ／Ｆ部１０４が、動画コンテンツをデジタル信号として取り込むと（ステップ５０１）、次に、記録再生処理部１０８のデータ圧縮部１０８が、ビットレート変換処理／トランスコーディング処理によって動画コンテンツを圧縮し、それにより、コンテンツデータが作成される（ステップ５０２）。
【００５０】
コンテンツデータ制御部１０５Ｂは、データ圧縮部１０８にて動画コンテンツが圧縮されてコンテンツデータが作成されると、スケジューラ部１０５Ａに対して、コンテンツデータの記憶部１０６への書き込みを指示し、スケジューラ部１０５Ａは、記憶部１０６へのコンテンツデータの書き込みを行う（ステップ５０３）。
【００５１】
一方、インデックス情報制御部１０５Ｃは、上記の動作と並行して、記憶部１０６へ書き込まれるコンテンツデータについてのインデックス情報（タイトル名、時間、記録内容、データ量、ビットレート、記憶部１０６内の格納場所等）を作成しており、ステップ５０３でコンテンツデータの書き込みが終了した時点で、コンテンツデータの格納場所が確定するため、インデックス情報の作成が完了する（ステップ５０４）。
【００５２】
そこで、インデックス情報制御部１０５Ｃは、スケジューラ部１０５Ａに対して、コンテンツデータについて作成したインデックス情報の記憶部１０６への書き込みを指示し、スケジューラ部１０５Ａは、記憶部１０６へのインデックス情報の書き込みを行う（ステップ５０５）。
【００５３】
以降、記録装置１０においては、ＡＤＣ／ビデオデコーダ１０３またはデジタルＩ／Ｆ部１０４にて、動画コンテンツがデジタル信号として取り込まれる度に、上記の手順に従って、動画コンテンツを元にコンテンツデータを作成して記憶部１０６へ書き込むとともに、そのコンテンツデータのインデックス情報を作成して記憶部１０６へ書き込む。
【００５４】
続いて、記録装置１０に記録されている動画コンテンツを、携帯端末２０にて編集する場合の動作について、図６のフローチャートを参照して説明する。
【００５５】
記録装置１０の汎用Ｉ／Ｆ部１０１と携帯端末２０の汎用Ｉ／Ｆ部２０１とが有線ケーブルにより接続された状態で、操作部２０４への操作によって記録装置１０の動画コンテンツの編集指示が入力された場合（ステップ６０１）、携帯端末２０の操作部コントローラ２０５は、動画コンテンツの編集指示を、汎用Ｉ／Ｆ部２０１から記録装置１０へ送信する（ステップ６０２）。
【００５６】
次に、記録装置１０のインデックス情報制御部１０５Ｃは、携帯端末２０からの動画コンテンツの編集指示を受けて、スケジューラ部１０５Ａに対して、記憶部１０６内の全動画コンテンツのインデックス情報の読み出しを指示し、スケジューラ部１０５Ａは、記憶部１０６内の全動画コンテンツのインデックス情報の読み出しを行う（ステップ６０３）。
【００５７】
次に、インデックス情報制御部１０５Ｃは、記憶部１０６から読み出されたインデックス情報を汎用Ｉ／Ｆ部１０１から携帯端末２０へ送信する（ステップ６０４）。このとき、インデックス情報制御部１０５Ｃは、例えば、図３に示すようにインデックス情報を加工して送信する。このインデックス情報に編集情報が付加されて、携帯端末２０から返信されてきた場合、インデックス情報制御部１０５Ｃは、コンテンツデータの保存または削除のチェックの結果を編集情報として、動画コンテンツの編集内容を得ることができる。
【００５８】
次に、携帯端末２０の記憶部コントローラ２０２は、記録装置１０から汎用Ｉ／Ｆ部２０１に送信されてきたインデックス情報の記憶部２０３への書き込みを行う（ステップ６０５）。以降のステップ６０９までの処理については、記録装置１０の汎用Ｉ／Ｆ部１０１と携帯端末２０の汎用Ｉ／Ｆ部２０１とを切り離し、携帯端末２０を外出先等に持ち出して行うことができる。もちろん、記録装置１０の汎用Ｉ／Ｆ部１０１と携帯端末２０の汎用Ｉ／Ｆ部２０１とを接続したままでも良い。
【００５９】
次に、表示部コントローラ２０６は、操作部２０４への操作によってインデックス情報の表示指示が入力された場合（ステップ６０６）、記憶部２０３に記録されたインデックス情報を表示部２０７に表示する（ステップ６０７）。
【００６０】
次に、操作部２０４への操作によって動画コンテンツの編集内容を示す編集情報が入力された場合（ステップ６０８）、表示部コントローラ２０６は、編集情報が付加されたインデックス情報を表示部２０７に表示し、記憶部コントローラ２０２は、編集情報が付加されたインデックス情報を記憶部２０３に書き込む（ステップ６０９）。例えば、図３に示すようなインデックス情報である場合は、コンテンツデータの保存または削除のチェックの結果がインデックス情報に付加される編集情報となる。
【００６１】
ここで、記録装置１０の汎用Ｉ／Ｆ部１０１と携帯端末２０の汎用Ｉ／Ｆ部２０１とが有線ケーブルにより接続された状態で、操作部２０４への操作によって、編集情報が付加されたインデックス情報の送信指示が入力された場合（ステップ６１０）、携帯端末２０の記憶部コントローラ２０２は、記憶部２０３に書き込まれている、編集情報が付加されたインデックス情報を読み出し、汎用Ｉ／Ｆ部２０１から記録装置１０へ送信する（ステップ６１１）。
【００６２】
その後、記録装置１０のインデックス情報制御部１０５Ｃは、携帯端末２０から汎用Ｉ／Ｆ部１０１に返信されてきた、インデックス情報に付加されている編集情報に基づいて、記憶部１０６内の該当する動画コンテンツのコンテンツデータの編集内容（保存または削除）をスケジューラ部１０５Ａに対して指示し、スケジューラ部１０５Ａは、記憶部１０６内の該当する動画コンテンツのコンテンツデータの編集（保存または削除）を行う（ステップ６１２）。なお、コンテンツデータの削除が行われる場合には、インデックス情報制御部１０５Ｃは、そのコンテンツデータについてのインデックス情報の削除をスケジューラ部１０５Ａに対して指示し、スケジューラ部１０５Ａは、該当するインデックス情報の削除を行う。
【００６３】
上述したように本実施形態においては、記録装置１０において、全動画コンテンツのコンテンツデータについてのインデックス情報を携帯端末２０へ送信し、その後に、そのインデックス情報に動画コンテンツの編集内容を示す編集情報が付加されて携帯端末２０から返信されてくると、インデックス情報に付加された編集情報に基づいて該当する動画コンテンツのコンテンツデータの編集を行っている。
【００６４】
それにより、ユーザは、携帯端末２０上でインデックス情報に編集情報を付加するという１回の操作で動画コンテンツの編集を行うことができるため、ユーザの利便性が向上する。
【００６５】
また、携帯端末２０上でインデックス情報に編集情報を付加するという操作自体は、記録装置１０に接続された状態でなくとも行うことができるため、ユーザは、携帯端末を持ち出して外出先から動画コンテンツの編集を行うことができる。
【００６６】
なお、本実施形態においては、記録装置１０において、有線ケーブルにより携帯端末２０と接続された状態で、携帯端末２０からの動画コンテンツの編集指示を受けたタイミングでインデックス情報を送信していたが、本発明においては、携帯端末２０から記録装置１０にインデックス情報を送信するタイミングはこれに限定されない。例えば、図６において、ステップ６０１，６０２の処理を省略し、汎用Ｉ／Ｆ部１０１に有線ケーブルが接続されたタイミングで汎用Ｉ／Ｆ部１０１を介して携帯端末２０との接続を確認し、携帯端末２０との接続が確認できたタイミングで、ステップ６０３，６０４におけるインデックス情報の読み出し処理、送信処理を行うことにしても良い。
【００６７】
また、本実施形態においては、記録装置１０において、記憶部１０６内の全動画コンテンツのインデックス情報を携帯端末２０に送信していたが、本発明は、携帯端末２０に送信するインデックス情報はこれに限定されない。例えば、携帯端末２０の記憶部２０３の記憶容量を確認してから、記憶部２０３の記憶容量に応じたデータ量分のインデックス情報だけを送信しても良い。
【００６８】
また、本実施形態においては、記録装置１０と携帯端末２０とを有線ケーブルで接続し、有線ケーブルを介して互いに通信を行っていたが、本発明はこれに限らず、記録装置１０および携帯端末２０の各々に、無線通信用のアンテナおよびＩ／Ｆ部を設けて、互いに無線通信を行う構成にしても良い。
【００６９】
（第２の実施形態）
図７に、本発明の第２の実施形態のコンテンツ管理システムの構成を示す。
【００７０】
図７を参照すると、本実施形態のコンテンツ管理システムは、動画コンテンツが記録される記録装置３０と、記録装置３０に記録されている動画コンテンツの編集を行う携帯端末４０とから構成されている。
【００７１】
本実施形態においては、携帯端末４０は、データ再生機能を搭載している点で、図１の携帯端末２０とは異なっており、記録装置３０に記録されている動画コンテンツの編集だけでなく、編集された動画コンテンツの再生も行う。例えば、記録装置３０は、ＨＤＤ／ＤＶＤレコーダ機能を搭載した記録装置により実現され、携帯端末４０は、携帯型のＤＶＤプレイヤー、携帯型のパーソナルコンピュータにより実現される。
【００７２】
図８に、記録装置３０の構成を示す。
【００７３】
図８を参照すると、記録装置３０は、汎用Ｉ／Ｆ部３０１と、チューナ部３０２と、ＡＤＣ／ビデオデコーダ３０３と、デジタルＩ／Ｆ部３０４と、記憶部コントローラ３０５と、記憶部３０６と、ＤＡＣ／ビデオエンコーダ３０７と、記録再生処理部３０８，３０９とから構成されている。
【００７４】
記録装置３０は、２つの記録再生処理部３０８，３０９を設けている点で、図２の記録装置１０とは異なっている。この記録装置３０では、動画コンテンツを元にコンテンツデータを作成する際に、２つの記録再生処理部３０８，３０９にて、同一の動画コンテンツから圧縮率が互いに異なる２つのコンテンツデータを同時に作成する。
【００７５】
携帯端末４０の記憶容量は、一般に、記録装置３０の記憶容量と比較して大幅に少ない。そのため、記録装置３０に記録された動画コンテンツのコンテンツデータを携帯端末４０へ移動させ、携帯端末４０にて再生するには、コンテンツデータのデータ容量を低減させて携帯端末４０専用のコンテンツデータを準備する必要がある。
【００７６】
そこで、本実施形態では、一方の記録再生処理部３０８のデータ圧縮部３０８Ｂは、固定テレビ装置（不図示）専用のコンテンツデータ（以下、メインコンテンツデータと称する）として、「標準画質モード」用でデータ容量が４Ｍｂｐｓまたは６Ｍｂｐｓであるコンテンツデータや、「高画質モード」用でデータ容量が８Ｍｂｐｓであるコンテンツデータを圧縮処理により作成する。その一方、他方の記録再生処理部３０９のデータ圧縮部３０９Ｂは、携帯端末４０専用のコンテンツデータ（以下、サブコンテンツデータと称する）として、データ容量が２Ｍｂｐｓ、数百ｋｂｐｓ、もしくはそれ以下であるコンテンツデータを圧縮処理により作成する。
【００７７】
これに伴い、コンテンツデータ制御部３０５Ｂは、データ圧縮部３０８Ｂにて圧縮されたメインコンテンツデータと、データ圧縮部３０９Ｂにて圧縮されたサブコンテンツデータとの記憶部３０６への書き込みを、スケジューラ部３０５Ａに対して指示する。
【００７８】
また、インデックス情報制御部３０５Ｃは、メインコンテンツデータおよびサブコンテンツデータについてのインデックス情報を、コンテンツデータごとではなく、動画コンテンツごとにまとめて記憶部３０６へ書き込むよう指示する。
【００７９】
これを受けて、スケジューラ部３０５Ａは、同一の動画コンテンツから作成されたメインコンテンツデータおよびサブコンテンツデータを記憶部３０６へ書き込むとともに、メインコンテンツデータおよびサブコンテンツデータについてのインデックス情報を動画コンテンツごとにまとめて記憶部３０６へ書き込む。その結果、記憶部３０６内のデータ構成は、例えば図９のようになる。ただし、記憶部３０６内のデータ構成は、図９に示す構成に限定されるものではなく、インデックス情報をメインコンテンツデータ用フォルダやサブコンテンツデータ用フォルダにまとめて書き込んでも良い。また、図９のように、メインコンテンツデータおよびサブコンテンツデータのそれぞれのサムネイル画像を作成し、記憶部３０６へ格納しても良い。
【００８０】
なお、記録再生処理部３０８，３０９は、上記動作を行うこと以外は、図２の記録再生処理部１０８と構成および動作が同様であり、また、スケジューラ部３０５Ａ、コンテンツデータ制御部３０５Ｂ、インデックス情報制御部３０５Ｃも、上記動作を行うこと以外は、図２のスケジューラ部１０５Ａ、コンテンツデータ制御部１０５Ｂ、インデックス情報制御部１０５Ｃとそれぞれ構成および動作が同様である。
【００８１】
また、その他の構成要素である、汎用Ｉ／Ｆ部３０１、チューナ部３０２、ＡＤＣ／ビデオデコーダ３０３、デジタルＩ／Ｆ部３０４、記憶部３０６、ＤＡＣ／ビデオエンコーダ３０７は、図２の汎用Ｉ／Ｆ部１０１、チューナ部１０２、ＡＤＣ／ビデオデコーダ１０３、デジタルＩ／Ｆ部１０４、記憶部１０６、ＤＡＣ／ビデオエンコーダ１０７とそれぞれ構成および動作が同様である。
【００８２】
また、上述の構成要素のうち、チューナ部３０２、ＡＤＣ／ビデオデコーダ３０３、デジタルＩ／Ｆ部３０４、およびデータ圧縮部３０８Ｂ，３０９Ｂは、コンテンツデータ作成部を構成する構成要素となる。
【００８３】
図１０に、携帯端末４０の構成を示す。
【００８４】
図１０を参照すると、携帯端末４０は、汎用Ｉ／Ｆ部４０１と、記憶部コントローラ４０２と、記憶部４０３と、操作部４０４と、操作部コントローラ４０５と、表示部コントローラ４０６と、表示部４０７と、再生処理部４０８と、ＤＡＣ／ビデオエンコーダ４０９とから構成されている。
【００８５】
携帯端末４０は、自らで動画コンテンツのコンテンツデータを再生するために、再生処理部４０８およびＤＡＣ／ビデオエンコーダ４０９を設けている点と、記憶部４０３の構成を変更した点で、図４の携帯端末２０とは異なっている。
【００８６】
記憶部４０３は、携帯端末４０に内蔵されたＨＤＤ４０３Ａと、リムーバルなＤＶＤディスクが収容されるＤＶＤドライブ４０３Ｂとを含むストレージである。なお、記憶部４０３は、ＤＶＤディスクの代わりにまたはＤＶＤディスクに追加して、リムーバルなシリコンメモリが収容されるドライブを設けた構成であっても良い。
【００８７】
再生処理部４０８は、動画コンテンツのコンテンツデータの伸長処理を行うデータ伸長部４０８Ａを含む。再生処理部４０８では、ビットレート変換処理やトランスコーディング処理を行うことで伸長処理を行う。
【００８８】
ＤＡＣ／ビデオエンコーダ４０７は、デジタル信号のコンテンツデータのビデオ映像信号方式（例えば、ＮＴＳＣ方式）のビデオエンコード処理およびアナログ信号への変換処理を行って、表示部コントローラ４０６に出力するか、または、不図示のＩ／Ｆ部（ビデオ／オーディオ出力端子等）経由で外部のテレビ装置等に出力する。すなわち、本実施形態では、動画コンテンツのコンテンツデータを表示部４０７に表示することも可能であるし、外部のテレビ装置等に表示することも可能である。
【００８９】
なお、その他の構成要素である、汎用Ｉ／Ｆ部４０１、記憶部コントローラ４０２、操作部４０４、操作部コントローラ４０５、表示部コントローラ４０６、表示部４０７は、図４の汎用Ｉ／Ｆ部２０１、記憶部コントローラ２０２、操作部２０４、操作部コントローラ２０５、表示部コントローラ２０６、表示部２０７とそれぞれ構成および動作が同様である。
【００９０】
以下、本実施形態のコンテンツ管理システムの動作について説明する。
【００９１】
最初に、記録装置３０に動画コンテンツを記録する場合の動作について、図１１のフローチャートを参照して説明する。
【００９２】
まず、記録装置３０においては、ＡＤＣ／ビデオデコーダ３０３またはデジタルＩ／Ｆ部３０４が、動画コンテンツをデジタル信号として取り込むと（ステップ１１０１）、次に、記録再生処理部３０８のデータ圧縮部３０８Ｂが、ビットレート変換処理／トランスコーディング処理によって動画コンテンツを圧縮することでメインコンテンツデータを作成し（ステップ１１０２）、これと同時に、記録再生処理部３０９のデータ圧縮部３０９Ｂが、ビットレート変換処理／トランスコーディング処理によって動画コンテンツをメインコンテンツデータよりも大きな圧縮率で圧縮することでサブコンテンツデータを作成する（ステップ１１０３）。
【００９３】
コンテンツデータ制御部３０５Ｂは、データ圧縮部３０８Ｂおよびデータ圧縮部３０９Ｂの各々にて動画コンテンツが圧縮されてメインコンテンツデータおよびサブコンテンツデータが作成されると、スケジューラ部３０５Ａに対して、メインコンテンツデータおよびサブコンテンツデータの記憶部３０６への書き込みを指示し、スケジューラ部３０５Ａは、記憶部３０６へのメインコンテンツデータおよびサブコンテンツデータの書き込みを行う（ステップ１１０４）。
【００９４】
一方、インデックス情報制御部３０５Ｃは、上記の動作と並行して、記憶部３０６へ書き込まれるメインコンテンツデータおよびサブコンテンツデータについてのインデックス情報（タイトル名、時間、記録内容、データ量、ビットレート、記憶部３０６内の格納場所等）を作成しており、ステップ４０３でコンテンツデータの書き込みが終了した時点で、メインコンテンツデータおよびサブコンテンツデータの格納場所が確定するため、インデックス情報の作成が完了する（ステップ１１０５）。
【００９５】
そこで、インデックス情報制御部３０５Ｃは、スケジューラ部３０５Ａに対して、メインコンテンツデータおよびサブコンテンツデータについて作成したインデックス情報を、動画コンテンツごとにまとめて記憶部３０６に書き込むよう指示し、スケジューラ部３０５Ａは、メインコンテンツデータおよびサブコンテンツデータについてのインデックス情報を動画コンテンツごとにまとめて記憶部３０６に書き込む（ステップ１１０６）。
【００９６】
以降、記録装置３０においては、ＡＤＣ／ビデオデコーダ３０３またはデジタルＩ／Ｆ部３０４にて、動画コンテンツがデジタル信号として取り込まれる度に、上記の手順に従って、動画コンテンツを元にメインコンテンツデータおよびサブコンテンツデータを作成して記憶部３０６へ書き込むとともに、そのメインコンテンツデータおよびサブコンテンツデータについてのインデックス情報を作成して、動画コンテンツごとにまとめて記憶部３０６に書き込む。
【００９７】
続いて、記録装置３０に記録されている動画コンテンツを、携帯端末４０にて編集する場合の動作について、図１２のフローチャートを参照して説明する。
【００９８】
記録装置３０の汎用Ｉ／Ｆ部３０１と携帯端末４０の汎用Ｉ／Ｆ部４０１とが有線ケーブルにより接続された状態で、操作部４０４への操作によって記録装置３０の動画コンテンツの編集指示が入力された場合（ステップ１２０１）、携帯端末４０の操作部コントローラ４０５は、動画コンテンツの編集指示を、汎用Ｉ／Ｆ部４０１から記録装置３０へ送信する（ステップ１２０２）。
【００９９】
次に、記録装置３０のインデックス情報制御部３０５Ｃは、携帯端末４０からの編集指示を受けて、スケジューラ部３０５Ａに対して、記憶部３０６内の全動画コンテンツのインデックス情報の読み出しを指示し、スケジューラ部３０５Ａは、記憶部３０６内の全動画コンテンツのインデックス情報の読出しを行う（ステップ１２０３）。
【０１００】
次に、インデックス情報制御部３０５Ｃは、記憶部３０６から読み出されたインデックス情報を汎用Ｉ／Ｆ部３０１から携帯端末４０へ送信する（ステップ１２０４）。このとき、インデックス情報制御部３０５Ｃは、例えば、図１３に示すようにインデックス情報を加工して送信する。なお、図１３が図３と異なる点は、コンテンツデータを視聴したことを示すチェック欄を設けた点にある。そのため、コンテンツデータの保存または削除のチェックの結果を編集情報として動画コンテンツの編集内容を得ることができるとともに、コンテンツデータの視聴のチェックの結果を視聴情報としてコンテンツデータの視聴履歴を得ることができる。
【０１０１】
次に、携帯端末４０の記憶部コントローラ４０２は、記録装置３０から汎用Ｉ／Ｆ部４０１に送信されてきたインデックス情報の記憶部４０３への書き込みを行う（ステップ１２０５）。以降のステップ１２０９までの処理については、記録装置３０の汎用Ｉ／Ｆ部３０１と携帯端末４０の汎用Ｉ／Ｆ部４０１とを切り離し、携帯端末４０を外出先等に持ち出して行うことができる。もちろん、記録装置３０の汎用Ｉ／Ｆ部３０１と携帯端末４０の汎用Ｉ／Ｆ部４０１とを接続したままでも良い。
【０１０２】
次に、表示部コントローラ４０６は、操作部４０４への操作によってインデックス情報の表示指示が入力された場合（ステップ１２０６）、記憶部４０３に書き込まれているインデックス情報を表示部４０７に表示する（ステップ１２０７）。
【０１０３】
次に、操作部４０４への操作によって動画コンテンツの編集内容を示す編集情報が入力された場合（ステップ１２０８）、表示部コントローラ４０６は、編集情報が付加されたインデックス情報を表示部４０７に表示し、記憶部コントローラ４０２は、編集情報が付加されたインデックス情報を記憶部４０３に書き込む（ステップ１２０９）。例えば、図１３に示すようなインデックス情報である場合は、コンテンツデータの保存または削除のチェックの結果が編集情報としてインデックス情報に付加される。また、コンテンツデータの視聴のチェックの結果を視聴情報としてインデックス情報に付加することもできる。
【０１０４】
ここで、記録装置３０の汎用Ｉ／Ｆ部３０１と携帯端末４０の汎用Ｉ／Ｆ部４０１とが有線ケーブルにより接続された状態で、操作部４０４への操作によって、編集情報が付加されたインデックス情報の送信指示が入力された場合（ステップ１２１０）、携帯端末４０の記憶部コントローラ４０２は、記憶部４０３に書き込まれている、編集情報が付加されたインデックス情報を、汎用Ｉ／Ｆ部４０１から記録装置３０へ送信する（ステップ１２１１）。
【０１０５】
その後、記録装置３０のインデックス情報制御部３０５Ｃは、携帯端末４０から汎用Ｉ／Ｆ部３０１に送信されてきた、インデックス情報に付加されている編集情報に基づいて、記憶部３０６内の該当する動画コンテンツのコンテンツデータの編集内容（保存または削除）を、スケジューラ部３０５Ａに対して指示し、スケジューラ部３０５Ａは、記憶部３０６に書き込まれているメインコンテンツデータおよびサブコンテンツデータの双方の編集（保存または削除）を行う（ステップ１２１２）。なお、メインコンテンツデータおよびサブコンテンツデータの削除が行われる場合には、インデックス情報制御部３０５Ｃは、そのメインコンテンツデータおよびサブコンテンツデータについてのインデックス情報の削除をスケジューラ部３０５Ａに対して指示し、スケジューラ部３０５Ａは、該当するインデックス情報の削除を行う。
【０１０６】
続いて、記録装置３０に記録されている動画コンテンツを携帯端末４０に送信し、携帯端末４０にて再生する場合の動作について、図１４のフローチャートを参照して説明する。
【０１０７】
記録装置３０の汎用Ｉ／Ｆ部３０１と携帯端末４０の汎用Ｉ／Ｆ部４０１とが有線ケーブルにより接続された状態で、操作部４０４への操作によって記録装置３０に記録されているいずれかの動画コンテンツの転送指示が入力された場合（ステップ１４０１）、携帯端末４０の操作部コントローラ４０５は、動画コンテンツの転送指示を、汎用Ｉ／Ｆ部４０１から記録装置３０へ送信する（ステップ１４０２）。
【０１０８】
次に、記録装置３０のコンテンツデータ制御部３０５Ｃは、携帯端末４０から転送指示を受けた動画コンテンツのメインコンテンツデータおよびサブコンテンツデータの中から、携帯端末４０専用のサブコンテンツデータを選択し、選択したサブコンテンツデータを記憶部３０６から読み出すようスケジューラ部３０５Ａに対して指示し、スケジューラ部３０５Ａは、記憶部３０６からのサブコンテンツデータの読出しを行う（ステップ１４０３）。
【０１０９】
次に、コンテンツデータ制御部３０５Ｃは、記憶部３０６から読み出されたサブコンテンツデータを汎用Ｉ／Ｆ部３０１から携帯端末４０へ送信する（ステップ１４０４）。
【０１１０】
次に、携帯端末４０の記憶部コントローラ４０２は、記録装置３０から汎用Ｉ／Ｆ部４０１に送信されてきたサブコンテンツデータの記憶部４０３への書き込みを行う（ステップ１４０５）。以降の処理については、記録装置３０の汎用Ｉ／Ｆ部３０１と携帯端末４０の汎用Ｉ／Ｆ部４０１とを切り離し、携帯端末４０を外出先等に持ち出して行うことができる。もちろん、記録装置３０の汎用Ｉ／Ｆ部３０１と携帯端末４０の汎用Ｉ／Ｆ部４０１とを接続したままでも良い。
【０１１１】
その後、携帯端末４０の記憶部コントローラ４０２は、操作部４０４への操作によって動画コンテンツの再生指示が入力された場合（ステップ１４０６）、記憶部４０３内のサブコンテンツデータの読み出し（再生）を行う（ステップ１４０７）。ここで読み出されたサブコンテンツデータは、再生処理部４０８のデータ伸長部４０８Ａにより伸長処理され、ＤＡＣ／ビデオエンコーダ４０７によりビデオ映像信号方式（例えば、ＮＴＳＣ方式）のビデオエンコード処理およびアナログ信号への変換処理が行われて、表示部４０７または外部のテレビ装置等で表示される。
【０１１２】
上述したように本実施形態においては、記録装置３０において、コンテンツデータを作成する際に、同一の動画コンテンツから圧縮率が互いに異なる２つのコンテンツデータを同時に作成し、圧縮率が大きくデータ容量が小さなコンテンツデータを携帯端末４０専用に管理している。
【０１１３】
それにより、ユーザは、記録装置３０に記録された動画コンテンツを携帯端末４０に転送する場合、携帯端末４０上で動画コンテンツを指定するだけで、携帯端末４０の記憶容量に応じたコンテンツデータを携帯端末４０に移動させることができる。
【０１１４】
また、本実施形態においては、記録装置３０において、同一の動画コンテンツを元に作成された２つのコンテンツデータについてのインデックス情報を、コンテンツデータごとではなく、動画コンテンツごとにまとめて格納し管理している。
【０１１５】
それにより、コンテンツデータごとにインデックス情報を格納する場合と比較して、インデックス情報へのアクセス時にアクセスすべき記憶部３０６内の領域が限定されるため、インデックス情報を短時間で読み出すことができ、それにより、動画コンテンツの編集作業の迅速化を図ることができる。
【０１１６】
なお、本実施形態においては、記録装置３０において、同一の動画コンテンツから圧縮率が互いに異なる２つのコンテンツデータを同時に作成していたが、本発明においては、同時に作成するコンテンツデータの数は複数であれば、特に２つに限定されるものではない。この場合、同時に作成するコンテンツデータの数に対応する数だけ、記録再生処理部を設ければ良い。
【０１１７】
また、本実施形態においては、図１３のコンテンツデータ視聴のチェック欄にユーザ自身が操作部４０４を操作してチェックしていたが、本発明はこれに限らず、コンテンツデータの再生処理が完了した時点で、表示部コントローラ４０６が自動的にチェック欄にチェックを行う構成でも良い。
【０１１８】
また、本実施形態においては、記録装置１０において、携帯端末２０にインデックス情報を送信するタイミングが動画コンテンツの編集指示を受けたタイミングに限定されない点、携帯端末２０に送信するインデックス情報が全動画コンテンツのインデックス情報に限定されない点、携帯端末２０との通信が有線ケーブルを介した通信に限定されない点は、第１の実施形態と同様である。
【０１１９】
なお、本発明においては、記録装置１０，３０および携帯端末２０，４０の内部の処理は、上記で説明した動作を実行するためのプログラムを記録媒体に記録し、この記録媒体に記録されたプログラムを記録装置１０，３０および携帯端末２０，４０に読み込ませ、実行するものであっても良い。記録装置１０，３０および携帯端末２０，４０にて読取可能な記録媒体とは、ＤＶＤディスク、ＣＤディスク、フロッピーディスク、光磁気ディスク等のリムーバルな記録媒体の他、装置に内蔵されるＨＤＤ等を指す。
【図面の簡単な説明】
【０１２０】
【図１】本発明の第１の実施形態のコンテンツ管理システムの構成を示す図である。
【図２】図１に示した記録装置の構成の一例を示すブロック図である。
【図３】図１に示した記録装置にて加工されるインデックス情報の一例を示す図である。
【図４】図１に示した携帯端末の構成の一例を示すブロック図である。
【図５】図１に示したコンテンツ管理システムにおいて、記録装置に動画コンテンツを記録する場合の動作を説明するフローチャートである。
【図６】図１に示したコンテンツ管理システムにおいて、記録装置に記録されている動画コンテンツを、携帯端末にて編集する場合の動作を説明するフローチャートである。
【図７】本発明の第２の実施形態のコンテンツ管理システムの構成を示す図である。
【図８】図７に示した記録装置の構成の一例を示すブロック図である。
【図９】図７に示した記憶装置内の記憶部のデータ構成の一例を示す図である。
【図１０】図７に示した携帯端末の構成の一例を示すブロック図である。
【図１１】図７に示したコンテンツ管理システムにおいて、記録装置に動画コンテンツを記録する場合の動作を説明するフローチャートである。
【図１２】図７に示したコンテンツ管理システムにおいて、記録装置に記録されている動画コンテンツを、携帯端末にて編集する場合の動作を説明するフローチャートである。
【図１３】図７に示した記録装置にて加工されるインデックス情報の一例を示す図である。
【図１４】図７に示したコンテンツ管理システムにおいて、記録装置に記録されている動画コンテンツを携帯端末に送信し、携帯端末にて再生する場合の動作を説明するフローチャートである。
【符号の説明】
【０１２１】
１０，３０    記録装置
２０，４０    携帯端末
１０１，３０１    汎用Ｉ／Ｆ部
１０２，３０２    チューナ部
１０３，３０３    ＡＤＣ／ビデオデコーダ
１０４，３０４    デジタルＩ／Ｆ部
１０５，３０５    記憶部コントローラ
１０５Ａ，３０５Ａ    スケジューラ部
１０５Ｂ，３０５Ｂ    コンテンツデータ制御部
１０５Ｃ，３０５Ｃ    インデックス情報制御部
１０６，３０６    記憶部
１０６Ａ，３０６Ａ    ＨＤＤ
１０６Ｂ，３０６Ｂ    ＤＶＤドライブ
１０７，３０７    ＤＡＣ／ビデオエンコーダ
１０８    記録再生処理部
１０８Ａ    データ伸長部
１０８Ｂ    データ圧縮部
２０１，４０１    汎用Ｉ／Ｆ部
２０２，４０２    記憶部コントローラ
２０３    記憶部
２０３Ａ    ＲＯＭ
２０３Ｂ    ＲＡＭ
２０４，４０４    操作部
２０５，４０５    操作部コントローラ
２０６，４０６    表示部コントローラ
２０７，４０７    表示部
３０８    記録再生処理部（メイン）
３０８Ａ    データ伸長部
３０８Ｂ    データ圧縮部
３０９    記録再生処理部（サブ）
３０９Ａ    データ伸長部
３０９Ｂ    データ圧縮部
４０３    記憶部
４０３Ａ    ＨＤＤ
４０３Ｂ    ＤＶＤドライブ
４０８    再生処理部
４０８Ａ    データ伸長部
４０９    ＤＡＣ／ビデオエンコーダ
【図１】
2006092621.tif 000003
【図２】
2006092621.tif 000004
【図３】
2006092621.tif 000005
【図４】
2006092621.tif 000006
【図５】
2006092621.tif 000007
【図６】
2006092621.tif 000008
【図７】
2006092621.tif 000009
【図８】
2006092621.tif 000010
【図９】
2006092621.tif 000011
【図１０】
2006092621.tif 000012
【図１１】
2006092621.tif 000013
【図１２】
2006092621.tif 000014
【図１３】
2006092621.tif 000015
【図１４】
2006092621.tif 000016